(57)【要約】【課題】記録可能な光ディスクを再生専用の光ディスクによって擬似的に構成し、光ディスク装置の光ピックアップの調整に適した状態のテスト用光ディスクを実現する。【解決手段】光ディスク装置の光ピックアップ調整に使用されるテスト用光ディスクであって、光学的に記録可能な光ディスクを再生した際に前記光ピックアップで得られる信号と同じ信号が得られるように、再生専用の光ディスクにおいてピット高さもしくはトラックピッチの少なくとも一方が調整された第一の領域と、前記光ディスクとは種類の異なる光ディスクを再生した際に前記光ピックアップで得られる信号と同じ信号が得られるように、再生専用の光ディスクにおいてピット高さもしくはトラックピッチの少なくとも一方が調整された第二の領域と、を有することを特徴とする。【選択図】図１
2007280437.tif 000002
【特許請求の範囲】
【請求項１】
光ディスク装置の光ピックアップ調整に使用されるテスト用光ディスクであって、
光学的に記録可能な光ディスクを再生した際に前記光ピックアップで得られる信号と同じ信号が得られるように、再生専用の光ディスクにおいてピット高さもしくはトラックピッチの少なくとも一方が調整された、
ことを特徴とするテスト用光ディスク。
【請求項２】
光ディスク装置の光ピックアップ調整に使用されるテスト用光ディスクであって、
光学的に記録可能な光ディスクを再生した際に前記光ピックアップで得られる信号と同じ信号が得られるように、再生専用の光ディスクにおいてピット高さもしくはトラックピッチの少なくとも一方が調整された第一の領域と、
前記光ディスクとは種類の異なる光ディスクを再生した際に前記光ピックアップで得られる信号と同じ信号が得られるように、再生専用の光ディスクにおいてピット高さもしくはトラックピッチの少なくとも一方が調整された第二の領域と、
を有することを特徴とするテスト用光ディスク。
【請求項３】
光学的に記録可能な光ディスクを再生した際に前記光ピックアップで得られる信号と同じ信号が得られるように、再生専用の光ディスクにおいて、ピット高さとトラックピッチとの両方が調整されている、
ことを特徴とする請求項１または請求項２に記載のテスト用光ディスク。
【発明の詳細な説明】
【技術分野】
【０００１】
本発明はＣＤ、ＤＶＤ、ＨＤ ＤＶＤ、ブルーレイディスクなどを再生する光ディスク装置の光ピックアップ調整に使用されるテスト用光ディスクに関する。
【背景技術】
【０００２】
ＣＤ、ＤＶＤ、ＨＤ ＤＶＤ、ブルーレイディスクなどの光ディスクを記録媒体として用いる光ディスク装置では、再生時には光ディスクに記録された情報を読み取るため、ピックアップに内蔵された光源から光を照射する。
【０００３】
そして、光ディスクで反射された光をピックアップ内の光検出器で受け、トラッキングなどの誤差信号を生成する。さらに、この誤差信号に基づいてトラッキングサーボを駆動することで、ピックアップが光ディスクのトラックを追従することが可能になる。
【０００４】
ここで、光ディスク装置の光ピックアップを調整するためには、テスト用光ディスクが使用される。この際、ＤＶＤを例にすると、記録用ＤＶＤとして、ＤＶＤ−Ｒ，ＤＶＤ＋Ｒ，ＤＶＤ−ＲＷ，ＤＶＤ＋ＲＷ，ＤＶＤ−ＲＡＭなど各種の光ディスクが存在している。
【０００５】
そして、このように複数種類の光ディスクをテストする場合には、検査工程毎にディスクを交換する手法と、図３に示すように、複数種類の光ディスクを貼り合わせたディスクを用いる手法とが存在している。
【０００６】
なお、複数種類の光ディスクを一枚として構成する技術に関して、以下の特許文献１に記載されている。また、テスト用の光ディスクを構成する技術が以下の特許文献２に記載されている。
【特許文献１】特開平１１−２５５７８号公報（第１頁、図１）
【特許文献２】特開２００３−１５７５８７号公報（第１頁、図１）
【発明の開示】
【発明が解決しようとする課題】
【０００７】
上記特許文献１は、光ディスクを径方向に複数に分割した領域に、それぞれ異なるフォーマットを収録したものである。具体的には、再生専用のＣＤにおいて、標準のＣＤフォーマット、倍密度のＣＤフォーマットを１枚に収録している。
【０００８】
また、上記特許文献２には、記録可能な光ディスクの反射率と等価になるように設定した再生専用の光ディスクを構成し、ロットによって性能が変化する可能性のある記録可能な光ディスクを、安定した状態の再生専用の光ディスクによって擬似的に構成することが記載されている。
【０００９】
なお、記録可能な光ディスクを再生専用の光ディスクによって擬似的に構成しても、反射率に着目しては、光ディスク装置の光ピックアップを調整するためのテスト用光ディスクとしては十分な性能が得られない。
【００１０】
すなわち、記録可能な光ディスクは層変化あるいは色素変化で記録がなされるため、ピットの有無によって記録がなされる再生専用の光ディスクとは、光ピックアップのトラッキング誤差信号の現れ方が異なっている。このため、反射率に着目していては、擬似的な構成が十分ではない。このため、光ピックアップで再生時に得られるトラッキングエラー信号の調整などを行うことができなかった。
【００１１】
本発明は、記録可能な光ディスクを再生専用の光ディスクによって擬似的に構成し、光ディスク装置の光ピックアップの調整に適した状態のテスト用光ディスクを実現することを目的とする。
【課題を解決するための手段】
【００１２】
上述した不具合を解決する手段としての本発明は、以下の（１）〜（３）に述べるようなものである。
（１）請求項１記載の発明は、光ディスク装置の光ピックアップ調整に使用されるテスト用光ディスクであって、光学的に記録可能な光ディスクを再生した際に前記光ピックアップで得られる信号と同じ信号が得られるように、再生専用の光ディスクにおいてピット高さもしくはトラックピッチの少なくとも一方が調整された、ことを特徴とするテスト用光ディスクである。
【００１３】
（２）請求項２記載の発明は、光ディスク装置の光ピックアップ調整に使用されるテスト用光ディスクであって、光学的に記録可能な光ディスクを再生した際に前記光ピックアップで得られる信号と同じ信号が得られるように、再生専用の光ディスクにおいてピット高さもしくはトラックピッチの少なくとも一方が調整された第一の領域と、前記光ディスクとは種類の異なる光ディスクを再生した際に前記光ピックアップで得られる信号と同じ信号が得られるように、再生専用の光ディスクにおいてピット高さもしくはトラックピッチの少なくとも一方が調整された第二の領域と、を有することを特徴とするテスト用光ディスクである。
【００１４】
（３）請求項３記載の発明は、光学的に記録可能な光ディスクを再生した際に前記光ピックアップで得られる信号と同じ信号が得られるように、再生専用の光ディスクにおいて、ピット高さとトラックピッチとの両方が調整されている、ことを特徴とする請求項１または請求項２に記載のテスト用光ディスクである。
【発明の効果】
【００１５】
本発明によると以下の（１）〜（３）に示すような効果が得られる。
（１）請求項１記載の発明では、光ディスク装置の光学的に記録可能な光ディスクに対して光ピックアップ調整に使用されるテスト用光ディスクを、再生専用の光ディスクで構成すると共に、光学的に記録可能な光ディスクを再生した際に光ピックアップで得られる信号と同じ信号が得られるように、再生専用の光ディスクにおいてピット高さもしくはトラックピッチの少なくとも一方が調整された状態に構成しておく。
【００１６】
この結果、記録可能な光ディスクを再生専用の光ディスクによって擬似的に構成した場合に、反射率に着目しては、光ディスク装置の光ピックアップを調整するためのテスト用光ディスクとしては十分な性能が得られないという欠点は、ピット高さもしくはトラックピッチの少なくとも一方の調整によって解消され、光学的に記録可能な光ディスクを再生した際に光ピックアップで得られる信号と同じ信号が得られるようなる。
【００１７】
これにより、記録可能な光ディスクを再生専用の光ディスクによって擬似的に構成し、光ディスク装置の光ピックアップの調整に適した状態のテスト用光ディスクを実現することが可能になる。
【００１８】
（２）請求項２記載の発明では、光学的に記録可能な光ディスクに対して光ピックアップ調整に使用されるテスト用光ディスクを、再生専用の光ディスクで構成すると共に、光学的に記録可能な光ディスクを再生した際に前記光ピックアップで得られる信号と同じ信号が得られるように、再生専用の光ディスクにおいてピット高さもしくはトラックピッチの少なくとも一方が調整された第一の領域と、前記光ディスクとは種類の異なる光ディスクを再生した際に前記光ピックアップで得られる信号と同じ信号が得られるように、再生専用の光ディスクにおいてピット高さもしくはトラックピッチの少なくとも一方が調整された第二の領域と、を有するように構成しておく。
【００１９】
この結果、記録可能な光ディスクを再生専用の光ディスクによって擬似的に構成した場合に、反射率に着目しては、光ディスク装置の光ピックアップを調整するためのテスト用光ディスクとしては十分な性能が得られないという欠点は、ピット高さもしくはトラックピッチの少なくとも一方の調整によって解消され、光学的に記録可能な光ディスクを再生した際に光ピックアップで得られる信号と同じ信号が得られるようなる。
【００２０】
また、複数の領域で異なる記録可能な光ディスクを擬似的に再現でき、この複数の領域はピット高さが異なるものの同一の再生専用の光ディスクにより構成されているため、物理的に安定した状態を保つことが可能になる。
【００２１】
これにより、記録可能な光ディスクを再生専用の光ディスクによって擬似的に構成し、光ディスク装置の光ピックアップの調整に適した状態のテスト用光ディスクを実現することが可能になる。
【００２２】
（３）請求項３記載の発明では、光学的に記録可能な光ディスクを再生した際に光ピックアップで得られる信号と同じ信号が得られるように、再生専用の光ディスクにおいてピット高さとトラックピッチとの両方が調整されているため、記録可能な光ディスクを再生専用の光ディスクによって擬似的に構成する際に更に良好な結果が得られる。
【発明を実施するための最良の形態】
【００２３】
以下に、図面を参照して本発明を実施するための最良の形態（実施形態）を詳細に説明する。
第１の実施の形態例の再生専用のテスト用光ディスク１０について、断面構成を表す図１を用いて説明を行う。
【００２４】
この図１（ａ）と図１（ｂ）において、上がレーベル面、下が光入射面である。光入射面からレーベル面Ａに向かって、まず、ポリカーボネート等の透明基板（サブストレート）１１が形成されている。
【００２５】
この透明基板１１上には、ピットが形成される反射層１２が成膜されている。そして、この反射層１２上には樹脂の保護層１３、レーベル等が印刷される印刷層１４とが積層されている。
【００２６】
ここで、図１（ａ）の部分拡大図である図１（ｂ）に示すように、透明基板１１には、再生専用の光ディスクとしてのピットが形成されている。
なお、上記構成の再生テスト用光ディスク１０の製造方法を説明する。
最初に、ディジタルデータの情報が形成されたスタンパを用い、射出成形法や２Ｐ法にて透明基板１１を作る（ステップ１）。つぎに、透明基板１１上に、反射層１２を成膜する。さらに、この反射層１２の上に保護層１３を形成し、最後に、スクリーン印刷機でレーベルを印刷して完成する。
【００２７】
ここで、記録可能な光ディスクは層変化あるいは色素変化で記録がなされるため、ピットの有無によって記録がなされる再生専用の光ディスクとは、光ピックアップのトラッキング誤差信号などの現れ方が異なっている。このため、従来のように反射率に着目していては、擬似的な構成が十分ではないが、ピット高さＨｐやトラックピッチＰｔに着目すると、十分な性能が得られる。なお、ピット高さについて、ピット深さと呼ぶ場合もあるが、この明細書においては、ピット高さと呼ぶことにする。
【００２８】
すなわち、本実施形態の再生専用の光ディスクでは、以下のように構成しておく。
（ａ1）光ディスク装置の光ピックアップ調整に使用されるテスト用光ディスクであって、光学的に記録可能な光ディスクを再生した際に光ピックアップで得られる信号と同じ信号が得られるように、再生専用の光ディスクにおいてピット高さＨｐを調整しておく。
【００２９】
この場合、色素変化で記録される光ディスクや、層変化で記録される光ディスクなど、各種の記録可能な光ディスクを再生した際に光ピックアップで得られる信号を予め取得しておき、その信号と同じ信号がピックアップで得られるように、再生専用の光ディスクにおいてピット高さＨｐを調整することが望ましい。
【００３０】
（ａ2）光ディスク装置の光ピックアップ調整に使用されるテスト用光ディスクであって、光学的に記録可能な光ディスクを再生した際に光ピックアップで得られる信号と同じ信号が得られるように、再生専用の光ディスクにおいてトラックピッチＰｔを調整しておく。
【００３１】
この場合、色素変化で記録される光ディスクや、層変化で記録される光ディスクなど、各種の記録可能な光ディスクを再生した際に光ピックアップで得られる信号を予め取得しておき、その信号と同じ信号がピックアップで得られるように、再生専用の光ディスクにおいてトラックピッチＰｔを調整することが望ましい。
【００３２】
（ｂ1）光ディスク装置の光ピックアップ調整に使用されるテスト用光ディスクであって、光学的に記録可能な光ディスクを再生した際に前記光ピックアップで得られる信号と同じ信号が得られるように、再生専用の光ディスクにおいてピット高さＨｐが調整された第一の領域（例えば、径方向の内側領域）と、前記光ディスクとは種類の異なる光ディスクを再生した際に光ピックアップで得られる信号と同じ信号が得られるように、再生専用の光ディスクにおいてピット高さが調整された第二の領域（例えば、径方向の外側領域）と、を有するように、再生専用の光ディスクを構成する。
【００３３】
（ｂ2）光ディスク装置の光ピックアップ調整に使用されるテスト用光ディスクであって、光学的に記録可能な光ディスクを再生した際に前記光ピックアップで得られる信号と同じ信号が得られるように、再生専用の光ディスクにおいてトラックピッチＰｔが調整された第一の領域（例えば、径方向の内側領域）と、前記光ディスクとは種類の異なる光ディスクを再生した際に光ピックアップで得られる信号と同じ信号が得られるように、再生専用の光ディスクにおいてトラックピッチＰｔが調整された第二の領域（例えば、径方向の外側領域）と、を有するように、再生専用の光ディスクを構成する。
【００３４】
（ｃ）光学的に記録可能な光ディスクを再生した際に光ピックアップで得られる信号と同じ信号が得られるように、再生専用の光ディスクにおいて、ピット高さＨｐとトラックピッチＰｔとの両方を調整しておく。
【００３５】
この場合、色素変化で記録される光ディスクや、層変化で記録される光ディスクなど、各種の記録可能な光ディスクを再生した際に光ピックアップで得られる信号を予め取得しておき、その信号と同じ信号がピックアップで得られるように、再生専用の光ディスクにおいてピット高さＨｐとトラックピッチＰｔとを調整することが望ましい。
【００３６】
ここで、光ディスク装置の光ピックアップを調整するためには、テスト用光ディスクが使用される。この際、ＤＶＤを例にすると、再生専用のＤＶＤ−ＲＯＭを使用して、記録用ＤＶＤ（ＤＶＤ−Ｒ，ＤＶＤ＋Ｒ，ＤＶＤ−ＲＷ，ＤＶＤ＋ＲＷ，ＤＶＤ−ＲＡＭ）の各種の光ディスクをシミュレートすることが可能になる。
【００３７】
なお、発明者が実験を行ったところ、各種の記録可能な光ディスクを再生専用の光ディスクで再現する場合、ピット高さＨｐ、トラックピッチＰｔを以下のようにすることで良好な結果を得られた。
【００３８】
なお、一般的には、再生専用のＤＶＤ−ＲＯＭおいては、ピット高さλ/8nでトラッキングエラー信号が最大で、ピット高さλ/4nでトラッキングエラー信号が最小になる。また、３ビーム方式のような位相差検出によるトラッキングエラー信号の検出において、トラックピッチが変化した場合に、トラッキングエラー信号が変化する。また、ＤＶＤ−ＲＡＭのトラックピッチは０．６１５μｍ、ＤＶＤ±ＲとＤＶＤ±ＲＷのトラックピッチは０．７４μｍ、である。
【００３９】
この場合に、以下の（１）〜（５）のように再生専用のＤＶＤ−ＲＯＭを構成することで、光学的に記録可能な光ディスクを再生した際に光ピックアップで得られる信号と同じ信号が得られるようになる。
【００４０】
（１）ＤＶＤ−Ｒ：ピット高さＨｐを１５０nm、トラックピッチＰｔを０．７４μm とすることで、ＤＶＤ−Ｒを再生したときに得られるプッシュプル信号と同じトラッキングエラー信号が得られた。
【００４１】
（２）ＤＶＤ＋Ｒ：ピット高さＨｐを１５０nm、トラックピッチＰｔを０．７４μm とすることで、ＤＶＤ＋Ｒを再生したときに得られるプッシュプル信号と同じトラッキングエラー信号が得られた。
【００４２】
（３）ＤＶＤ−ＲＷ：ピット高さＨｐを３０nm、トラックピッチＰｔを０．７４μm とすることで、ＤＶＤ−ＲＷを再生したときに得られるプッシュプル信号と同じトラッキングエラー信号が得られた。
【００４３】
（４）ＤＶＤ＋ＲＷ：ピット高さＨｐを３０nm、トラックピッチＰｔを０．７４μm とすることで、ＤＶＤ＋ＲＷを再生したときに得られるプッシュプル信号と同じトラッキングエラー信号が得られた。
【００４４】
（５）ＤＶＤ−ＲＡＭ：ピット高さＨｐを７０nm、トラックピッチＰｔを０．６１５μm とすることで、ＤＶＤ−ＲＡＭを再生したときに得られるプッシュプル信号と同じトラッキングエラー信号が得られた。
【００４５】
なお、以上の実験結果は、本件出願人が実験に用いた材料によるものであり、材料の組成が異なる場合に、細かな具体的数値は変動することもありうる。
以上のように構成した結果、光ピックアップの試験を行う際に、記録可能な光ディスクのロットによって性能が変化するという不具合を低減することが可能になる。
【００４６】
そして、記録可能な光ディスクを再生専用の光ディスクによって擬似的に構成できるだけではなく、光ディスク装置の光ピックアップを調整するためのテスト用光ディスクとしても十分な性能を得ることが可能になる。
【００４７】
また、図２に示すように、径方向の内側領域（ゾーン＃１）と外側領域（ゾーン＃２）とで異なる記録可能な光ディスクを再現することも可能になる。このようにすることで、従来の貼り合わせ方式などの欠点や、複数のディスクを交換するといった面倒な手法の問題点を解決することが可能になる。なお、ここでは、２種類の領域を示したが、更に多くの領域に分けることも可能である。
【００４８】
この場合、上記（１）〜（５）の組み合わせに従い、ピット高さＨｐまたはトラックピッチＰｔの少なくとも一方は、ゾーン＃１とゾーン＃２とで異なったものとなる。
なお、１枚のディスク内でピット高さＨｐを替えるためには、スタンパ作成時のマザーのエッチング量に依存するので、分割された領域の一方をマスキングしてエッチング量を変化させることにより実現可能である。
【００４９】
すなわち、この実施形態によれば、記録可能な光ディスクを再生専用の光ディスクによって擬似的に構成し、光ディスク装置の光ピックアップの調整に適した状態のテスト用光ディスクを実現することが可能になる。この場合、複数の領域で異なる記録可能な光ディスクを擬似的に再現でき、この複数の領域はピット高さやトラックピッチの少なくとも一方が異なるものの同一の再生専用の光ディスクにより構成されているため、物理的に安定した状態を保つことが可能になる。
【００５０】
また、複数の規格の記録可能な光ディスクを再生可能な装置では、ディスクの交換をせずに複数の規格の光ディスクについて光ピックアップの調整ができるため、調整が容易になるだけではなく、連続して均一な条件のもとで調整が可能になり好ましい。
【図面の簡単な説明】
【００５１】
【図１】本発明の実施形態であるテスト用光ディスクの機械的な断面構成を示す断面図である。
【図２】本発明の実施形態であるテスト用光ディスクの機械的な断面構成を示す断面図である。
【図３】従来のテスト用光ディスクの機械的な断面構成を示す断面図である。
【符号の説明】
【００５２】
１０  テスト用光ディスク
１１  透明基板
１２  反射層
１３  保護層
１４  印刷層
【図１】
2007280437.tif 000003
【図２】
2007280437.tif 000004
【図３】
2007280437.tif 000005